(57)【要約】【課題】前面の側辺に当接させた親指と背面側に当接させた他の４本の指で挟み込んでタブレットを保持する際、タブレットを保持するユーザの手をサポートできるタブレットカバーを提供する。【解決手段】タブレット２を収納するタブレットカバー１のカバー本体１ａの背面には、可撓性または伸縮性のある素材で出来ている支持バンド１０が設けられている。ユーザの手が差し込める程度に支持バンド１０が弛むように、支持バンド１０の両端の片方はカバー本体１ａの背面に固定され、支持バンド１０の両端のもう一方にストッパーヘッド１０ｂが設けられ、カバー本体１ａには、ストッパーヘッド１０ｂの移動位置を規制するストッパー本体１０ａが設けられている。【選択図】図１
2014067332.tif 000002
【特許請求の範囲】
【請求項１】
タブレットコンピュータを収納するカバー本体と、前記カバー本体の背面に設けられた支持バンドとを備えたことを特徴とするタブレットカバー。
【請求項２】
前記支持バンドの両端の片方を前記カバー本体の背面に固定し、前記支持バンドの両端のもう一方にストッパーヘッドを設け、前記ストッパーヘッドの移動位置を規制するストッパー本体を前記カバー本体に設けたことを特徴とする、請求項１に記載したタブレットカバー。
【請求項３】
自立用の折り畳みスタンドを前記カバー本体の背面に設けたことを特徴とする、請求項１または２に記載したタブレットカバー。
【請求項４】
ストラップを留めるためのストラップ留めを前記カバー本体の側面に設けたことを特徴とする、請求項１または２に記載したタブレットカバー。
【請求項５】
前記ストラップ留めを前記カバー本体の４つの側面それぞれに設けたことを特徴とする、請求項４に記載したタブレットカバー。
【発明の詳細な説明】
【技術分野】
【０００１】
本発明は、タブレットコンピュータ（以下、「タブレット」と記す。）を収納するタブレットカバーに関する。
【背景技術】
【０００２】
タブレット型の電子ブックリーダーであるＫｉｎｄｌｅ（登録商標）やパーソナルコンピュータであるｉＰａｄ（登録商標）などのタブレットコンピュータが普及している。
【０００３】
タブレットの形状は板状で、サイズは、７インチから１０インチ程度とスマートフォンと比較して大きいが、タブレットにタッチパネルを備えさせることで、タブレットをユーザの手で保持しながらの操作が可能となっている。
【０００４】
しかし、タブレットを長時間にわたって手で支えた場合、タブレットを保持しているユーザの手の力が弱まり、タブレットが手から滑り落ちて破損してしまう危険性がある。そのため、手でタブレットを保持する力をサポートし、ユーザの手からタブレットが落下することを防止できることが望ましい。
【０００５】
タブレットを傾けることによりプレイヤーの移動方向を制御するゲームをユーザが行う場合、親指とそれ以外の４本の指との力によりタブレットを挟持する格好になるため、このようなゲームを行う際にタブレットの落下を防止するためには、特許文献１で開示されている発明を利用することができる。
【０００６】
特許文献１で開示されている発明は、張度が調整可能な脱落防止バンドを少なくとも１つの側辺に取り付けた保護装置で、特許文献１の図２に図示されているように、ユーザの４本の指の関節部に脱落防止バンドを合わせ、ユーザの手と保護装置の側辺を脱落防止バンドにより緊密に挟むことにより、脱落防止バンドによってユーザがタブレットを強く把持できるようにすることで、タブレットを傾けることによりプレイヤーの移動方向を制御するゲームを行う際、ユーザの手からタブレットが滑り落ちることを防止する。
【０００７】
しかしながら、タブレットを利用目的としては、タブレットを傾けることによりプレイヤーの移動方向を制御するゲームばかりではなく、Ｔｗｉｔｔｅｒ（登録商標）やＦａｃｅｂｏｏｋ（登録商標）などのＳＮＳ（Social Networking Service）やウェブページをブラウジングするケースもある。
【０００８】
このようなケースでは、タブレットを傾けることによりプレイヤーの移動方向を制御するゲームの場合とはタブレットを保持する格好が異なり、タブレットを保持する格好は、背面にユーザの手の平を当てた状態で、前面の側辺に当接させた親指と背面側に当接させた他の４本の指で挟み込む格好になる。
【先行技術文献】
【特許文献】
【０００９】
【特許文献１】実用新案登録第３１６８９１８号公報
【発明の概要】
【発明が解決しようとする課題】
【００１０】
そこで、本発明は、背面にユーザの手の平を当てた状態で、前面の側辺に当接させた親指と背面側に当接させた他の４本の指で挟み込んでタブレットを保持する際、タブレットを保持するユーザの手をサポートできるタブレットカバーを提供することを目的とする。
【課題を解決するための手段】
【００１１】
上述した課題を解決する第１の発明は、タブレットコンピュータを収納するカバー本体と、前記カバー本体の背面に設けられた支持バンドとを備えたことを特徴とするタブレットカバーである。
【００１２】
タブレットコンピュータを収納するカバー本体の背面に支持バンドを設ければ、ユーザの手をタブレットの背面と支持バンドの間に差し込んだ際、支持バンドによってユーザの手が支えられる格好になるため、タブレットを保持するユーザの手をサポートできる。
【００１３】
更に、第２の発明は、第１の発明に記載したタブレットカバーにおいて、前記支持バンドの両端の片方を前記カバー本体の背面に固定し、前記支持バンドの両端のもう一方にストッパーヘッドを設け、前記ストッパーヘッドの移動位置を規制するストッパー本体を前記カバー本体に設けたことを特徴とする。第２の発明によれば、前記ストッパーヘッドを前記ストッパー本体に押し当てた状態にすれば、ユーザの手が差し込める程度に前記支持バンドを弛ませることができる。
【００１４】
更に、第３の発明は、第１の発明または第２の発明に記載したタブレットカバーにおいて、タブレットカバーが自立できるように、自立用の折り畳みスタンドを前記カバー本体の背面に設けたことを特徴とする。
【００１５】
更に、第４の発明は、第１の発明または第２の発明に記載したタブレットカバーにおいて、ストラップをタブレットカバーに留めることができるように、ストラップを留めるためのストラップ留めを前記カバー本体の側面に設けたことを特徴とする。
【００１６】
更に、第５の発明は、第４の発明に記載したタブレットカバーにおいて、タブレットを縦画面、横画面どちらでも、ストラップを利用してつり下げることができるように、前記ストラップ留めを前記カバー本体の４つの側面それぞれに設けたことを特徴とする。
【発明の効果】
【００１７】
このように、本発明によれば、背面にユーザの手の平を当てた状態で、前面の側辺に当接させた親指と背面側に当接させた他の４本の指で挟み込んでタブレットを保持する際、タブレットを保持するユーザの手をサポートできるタブレットカバーを提供できる。
【図面の簡単な説明】
【００１８】
【図１】本実施形態にかかるタブレットカバーを説明する図。
【図２】支持バンドの取り付け方を説明する図。
【図３】ユーザの手を挿入した際のタブレットカバーの背面を説明する図。
【図４】折り畳みスタンドを説明する図。
【図５】支持部を旋回させた時のタブレットカバーを説明する図。
【図６】タブレットカバーの支持部の別な使用方法を説明する図。
【図７】タブレットカバーに設けられたストラップ留めを説明する図。
【図８】タブレットカバーのストラップ留めの利用形態を説明する図。
【発明を実施するための形態】
【００１９】
ここから、本発明にかかるタブレットカバーの好適な実施形態について、図面を参照しながら詳細に説明する。
【００２０】
図１は、本実施形態にかかるタブレットカバー１を説明する図である。本実施形態にかかるタブレットカバー１のカバー本体１ａは、衝撃吸収性の高い素材（シリコンなど）で出来ており、市販されているスマートフォンカバーのように、タブレットカバー１に収納するタブレット２の形状に合わせて成型されている。
【００２１】
タブレット２を傾けて操作するゲームの場合、ユーザは、親指とその他の４本の指でタブレット２の側面を狭持し、タブレット２を傾けて操作するが、ＳＮＳなどを利用する場合、タブレット２の側面に片手の平を当て、タブレット２の背面を４本の指で支え、親指でタブレット２を挟み込み、タブレット２を片手で支えることになる。
【００２２】
よって、ＳＮＳなどを利用する場合、タブレット２の背面を支えるユーザの手を支えるものがあれば、タブレット２を保持するユーザの手をサポートできるため、本実施形態のタブレットカバー１には、カバー本体１ａの背面を支えるユーザの手と当接する支持バンド１０を、タブレット２を収納するカバー本体１ａの背面に設けている。
【００２３】
また、タブレット２を卓上に立てた状態で利用できた方が便利なため、カバー本体１ａの背面に自立用の折り畳みスタンド１２を設けている。更に、タブレット２を持ち運ぶ際にストラップを利用できた方が便利なため、カバー本体１ａの４つの側面それぞれに、ストラップを留めるためのストラップ留め１１を設けている。
【００２４】
まず、タブレットカバー１の支持バンド１０について説明する。図２は、本実施形態における支持バンド１０の取り付け方を説明する図である。
【００２５】
タブレットカバー１の支持バンド１０は、タブレット２を保持するユーザの手をサポートできるようにタブレットカバー１に備えられ、この支持バンド１０は、可撓性を有する材質、または伸縮性を有する素材（例えば、ゴム）で出来ている。
【００２６】
タブレット２を保持するユーザの手をサポートできるようにするためには、ユーザの手をタブレットカバー１の背面と支持バンド１０の間に差し込んだ際に、支持バンド１０によって、カバー本体１ａの背面と当接するユーザの手を支えることができればよい。
【００２７】
例えば、弛みが無い状態で支持バンド１０の両端をカバー本体１ａに固定すれば、ユーザの４本の指をカバー本体１ａの背面と支持バンド１０の間に差し込んだ際、カバー本体１ａの背面と当接するユーザの手が、支持バンド１０によって支えられる格好になるが、このようにすると、カバー本体１ａの背面と支持バンド１０の間にユーザの手を差し込みづらくなってしまう。
【００２８】
そこで、本実施形態のタブレットカバー１では、支持バンド１０の取り付け方に工夫を凝らし、支持バンド１０の両端の片方（図２では右端）のみをカバー本体１ａに固定し、支持バンド１０の両端のもう一方（図２では左端）はカバー本体１ａに固定せずに可動とすることで、支持バンド１０をたるみが無い状態にしたり、ユーザの手が差し込める程度に弛むようにしたりできるようにしている。
【００２９】
本実施形態にかかるタブレットカバー１では、固定しない支持バンド１０の端が可動になるように、固定しない側の端（図２では左端）にストッパーヘッド１０ｂを設け、ストッパーヘッド１０ｂの位置を規制するストッパー本体１０ａをカバー本体１ａの背面に設けている。
【００３０】
本実施形態においてストッパー本体１０ａの断面は鎹（かすがい）形状になっており、支持バンド１０はストッパー本体１０ａを挿通している。ストッパー本体１０ａと逆方向にストッパーヘッド１０ｂを引くことで、図２（ａ）に図示したように、支持バンド１０は弛みが無い状態になる。また、ストッパーヘッド１０ｂを移動させてストッパー本体１０ａに押し当てることで、図２（ｂ）に図示したように、ストッパーヘッド１０ｂの移動量に対応した弛みが支持バンド１０に生じる。
【００３１】
図２（ｃ）に図示したように、ユーザが、ストッパーヘッド１０ｂに生じた弛みに手を差し込むと、ストッパーヘッド１０ｂはストッパー本体１０ａに当たって移動できないが、支持バンド１０は可撓性または伸縮性のある素材で出来ているため、支持バンド１０がユーザの手の形状に沿って曲がり、カバー本体１ａの背面を支えるユーザの手が支持バンド１０によって支えられる格好になる。
【００３２】
図３は、ユーザの手を挿入した際のタブレットカバー１の背面を説明する図である。本実施形態のタブレットカバー１によれば、タブレットカバー１の支持バンド１０によって、タブレットカバー１の背面を支えるユーザの手が支えられるため、ユーザは、タブレット２が収納されたタブレットカバー１を片手で楽に支えることが可能になるばかりか、該タブレットカバー１が片手から落下するのを防止できる。
【００３３】
なお、支持バンド１０が伸縮性のある素材で出来ていれば、ユーザの手をタブレットカバー１の背面と支持バンド１０の間に差し込んだ際に、支持バンド１０が伸び、支持バンド１０が縮もうとする力で、カバー本体１ａの背面を支えるユーザの手がカバー本体１ａの背面に押し当たるため、タブレット２を保持するユーザの手をより強くサポートできる。
【００３４】
次に、タブレットカバー１に設けられた折り畳みスタンド１２について説明する。図４は、タブレットカバー１に設けられた折り畳みスタンド１２を説明する図である。
【００３５】
図１に図示したように、折り畳みスタンド１２もカバー本体１ａの背面に設けられる。折り畳みスタンド１２の構造は様々考えられるが、本実施形態では、図４（ａ）に図示したように、折り畳みスタンド１２は、タブレット２が収納されたタブレットカバー１を支えるための支持部１２０と、支持部１２０が旋回するときの支点１２２ａが設けられた台座部１２２と、支持部１２０の旋回を規制するスライド部１２１を有している。なお、図１（ｂ）に図示しているように、スライド部１２１および台座部１２２は支持部１２０の両端に設けられている。
【００３６】
本実施形態において、スライド部１２１は台座部１２２上をスライド可能で、スライド部１２１が図４（ａ）の位置にあるとき、スライド部１２１によって台座部１２２が全て覆われるため、支持部１２０は旋回できない状態になる。
【００３７】
図４（ａ）の状態で、矢印の方向にスライド部１２１をスライドさせると、図４（ｂ）に図示したように、支持部１２０が露出し、台座部１２２の支点１２２ａを中心として支持部１２０は旋回可能になり、図４（ｃ）に図示したように、支持部１２０を旋回させることができる。
【００３８】
図５は、支持部１２０を旋回させた時のタブレットカバー１を説明する図である。図５に図示したように、支持部１２０を旋回させることで、カバー本体１ａの背面に対して支持部１２０は斜めの状態になるため、カバー本体１ａの底辺と支持部１２０によって、タブレット２を収納したタブレットカバー１を卓上に自立させることが可能になる。
【００３９】
図６は、タブレットカバー１の支持部１２０の別な使用方法を説明する図である。一般的なタブレット２には、内部に備えられたジャイロを利用して、タブレット２の向きに表示画面を合わせる機能が付いているため、図６に図示しているように、折り畳みスタンド１２が上向きになるようにすれば、折り畳みスタンド１２の支持部１２０を利用して壁にタブレットカバー１を掛けることが可能である。
【００４０】
次に、タブレットカバー１に設けられたストラップ留め１１について説明する。図７は、ストラップ留め１１を説明する図である。
【００４１】
図１に図示したように、タブレットカバー１に設けられたストラップ留め１１は、カバー本体１ａの４つの側面それぞれに設けられている。ストラップ留め１１の実現方法としては、金属製などのリングで実現することもできるが、本実施形態では、ストラップを留めないときにストラップ留め１１が邪魔にならないようにしている。
【００４２】
図７（ａ）に図示しているように、本実施形態のストラップ留め１１は、ストラップを留めるベルト１１０と、ベルト１１０を引き出すための引出口１１１とから構成されている。ベルト１１０の片端は接着材などによって、タブレットカバー１の側面に固着され、ベルト１１０を引出口１１１から引き出した時にベルト１１０の端が引出口１１１に引っ掛かるように、固着されている反対側の端は引出口１１１の幅よりも大きく形成されている。
【００４３】
ストラップ留め１１を利用しないとき、ベルト１１０の一部分がタブレットカバー１とタブレット２の間に納められた状態で、ベルト１１０とカバー本体１ａの側面は平坦になっている。カバー本体１ａのストラップ留め１１の箇所にはベルト１１０を引き出し易いように窪み１１２が設けられている。図７（ｂ）に図示しているように、この窪み１１２を利用してベルト１１０の片端が引出口１１１に当たるまで、ベルト１１０を引き出すことで、ベルト１１０を利用してストラップのフックを取り付けることが出来るようになる。
【００４４】
また、図１（ｂ）に図示しているように、ストラップ留め１１は、カバー本体１ａの４つの側面それぞれに一つ設けているため、タブレット２を縦画面、横画面どちらでも、ストラップを利用してつり下げることが可能である。
【００４５】
図８は、タブレットカバー１のストラップ留め１１の利用形態を説明する図である。図８（ａ）では、タブレット２が縦画面になるように、タブレット２が収納されたタブレットカバー１を首にぶら下げるためストラップ１１ａを２つのストラップ留め１１に留めている。このように、ストラップ１１ａを利用してタブレット２を首にぶら下げることができれば、図８（ｂ）に図示したように、ユーザの両手が使用可能になるため、業務や旅行で便利である。
【符号の説明】
【００４６】
１    タブレットカバー
１ａ  カバー本体
１０  支持バンド
１０ａ  ストッパー本体
１０ｂ  ストッパーヘッド
１１  ストラップ留め
１１０  ベルト
１１１  引出口
１１２  窪み
１２  折り畳みスタンド
１２０  支持部
１２１  スライド部
１２２  台座部
２    タブレット
【図１】
2014067332.tif 000003
【図２】
2014067332.tif 000004
【図３】
2014067332.tif 000005
【図４】
2014067332.tif 000006
【図５】
2014067332.tif 000007
【図６】
2014067332.tif 000008
【図７】
2014067332.tif 000009
【図８】
2014067332.tif 000010